(57)【特許請求の範囲】
【請求項１】
電子打楽器に用いる振源伝導機構は、共振伝導部材を備え、
該共振伝導部材は円形であり、中心に位置する円形板の感知結合部、及び該感知結合部周囲に環状に設置され、連接する振動伝導部を備え、
該振動伝導部は円環状であり、該振動伝導部と前記該感知結合部の両者は、同心円配置を呈し、
該振動伝導部には、ハニカム構造又は正六角形の複数の中空メッシュを設置し、しかも該各中空メッシュは、辺の長さを共用する方式で相互に連接し、該振動伝導部全体を満たすことを特徴とする電子打楽器に用いる振源伝導機構。
【発明の詳細な説明】
【技術分野】
【０００１】
本発明は電子打楽器（electronic percussion instruments）に関し、特に電子打楽器に用いる振源伝導機構に関する。
【背景技術】
【０００２】
電子打楽器には、電子ドラム（electronic drums）、電子シンバル（electronic cymbals）等タイプがある。
従来の電子ドラムは、ラバーパッド（rubber pad）及び該ラバーパッドに密着する薄金属板（thin metallic plate）を備え、該金属板の中心近くには、圧電素子センサー（piezoelectric sensor）を設置する。
従来の電子シンバルの該圧電素子センサーは、ラバーパッド上にダイレクトに設置する。
ドラム或いはシンバルのパーカッションエリア（percussion area）に比べ、従来の電子打楽器の圧電素子センサーは、シグナル探知範囲が非常に小さい。
これにより、該パーカッションエリアの周辺範囲（peripheral region）のパーカッション動作に対する圧電素子センサーの探知敏感度（sensitivity）は低下してしまう。
こうして、圧電素子センサーの感知シグナルに基づき生じる電子パーカッション音響効果（electronic percussion sound）は不安定になってしまう。
【０００３】
上述の問題を緩和するためには、電子ドラム或いはシンバルのサイズを、一般のドラム或いはシンバルより小さくせざるを得ない。
しかし、それでは電子楽器は従来の（非電子）楽器に対して、サイズの上でリアルさを欠き、これにより演奏者の操作体験及び演出効果に影響を与える。
【０００４】
前記問題に対して、特許文献１は、クモの巣状のセンサー（spider web-like sensor）を備える電子打楽器を開示する。
それは、振動共振部材（vibration  resonance  member）、圧電素子センサーを備える。
該振動共振部材は、中心部（hub  portion）、該中心部から外へと放射状に延伸する複数の放射部（radial  portions）及び複数の環状部（ring  portions）を備える。
該圧電素子センサーは、該振動共振部材の中心部に連接（connected  to）する。
これにより、クモの巣状センサーを備える電子打楽器は、より良い感知安定度を達成することができる。
【０００５】
しかし、該振動共振部材の振動波の感知及び伝送ルートは、振源に最も近い環状部から放射部に沿って、中心部に位置する圧電素子センサーに伝送する、というもので、その伝導ルートは少なく、しかも単一である。
このため、該振動共振部材の中心部から離れたところで生まれた振動の振動波は、明らかに減衰し、感知結果の正確性と敏感度に影響を与える。
これにより、後続のサウンドのアウトプット効果の安定性が悪くなってしまい、同時に、該振動共振部材、及び該振動共振部材を運用した電子打楽器のサイズを制限することともなる。
【０００６】
よって、伝導ルートを増やし、またそれを多重とし、これにより異なるルートの振動波を集合或いは重ね合わせることで、伝送過程でのエネルギーの減衰を緩和し、こうして感知敏感度と正確性を高める電子打楽器の振源伝導機構の開発は、切迫性と実用の価?を備える技術課題である。
【先行技術文献】
【特許文献】
【０００７】
【特許文献１】米国特許第（ＵＳＰ）９０９９０７０Ｂ２号
【発明の概要】
【発明が解決しようとする課題】
【０００８】
本発明が解決しようとする課題は、伝導ルートを増やすことで、異なるルートの振動波が集合或いは重ね合わせを形成でき、こうして可減緩伝送過程におけるエネルギーの減衰を緩和できる電子打楽器に用いる振源伝導機構を提供することである。
【課題を解決するための手段】
【０００９】
上記課題を解決するため、本発明は、下記の電子打楽器に用いる振源伝導機構を提供する。
電子打楽器に用いる振源伝導機構は、共振伝導部材を備え、該共振伝導部材は円形であり、中心に位置する円形板の感知結合部、及び該感知結合部周囲に環状に設置され、連接する振動伝導部を備え、該振動伝導部は円環状であり、該振動伝導部と前記該感知結合部の両者は、同心円配置を呈し、該振動伝導部には、ハニカム構造又は正六角形の複数の中空メッシュを設置し、しかも該各中空メッシュは、辺の長さを共用する方式で相互に連接し、該振動伝導部全体を満たすことを特徴とする。
【発明の効果】
【００１０】
本発明の電子打楽器に用いる振源伝導機構の振動伝導部はより多くの伝導ルートを備え、同時に中空メッシュがハニカム構造又は正六角形であるため、異なるルートの振動波が集合或いは重ね合わせを形成できる。
こうしてエネルギー伝送過程における減衰の問題を低減し、感知の敏感度と正確性を高められ、より大きなサイズの電子打楽器に適用可能となり、製品の実用性を劇的に高めることができる。
【図面の簡単な説明】
【００１１】
【図１】本発明の構造模式図である。
【図２】本発明の電子ドラムの構成部材の分解模式図である。
【図３】図２の側視模式図である。
【図４】本発明の動作模式図である。
【発明を実施するための形態】
【００１２】
以下に図面を参照しながら、本発明を実施するための最良の形態(実施例)について詳細に説明する。
【実施例】
【００１３】
図１に示すように、本発明の電子打楽器に用いる振源伝導機構は、共振伝導部材３を備える。
【００１４】
該共振伝導部材３は通常、電子ドラム或いは電子シンバルなどの電子打楽器のパーカッションエリアと対応するため、円形に製造される。
【００１５】
該共振伝導部材３は、中心に位置する感知結合部３１、及び該感知結合部３１周囲に環状に設置され、連接する振動伝導部３２を備える。
【００１６】
さらに図２に示すように、該感知結合部３１は、該電子打楽器の圧電素子センサー（piezoelectric  sensor）などのセンサー４と連接して結合される。
【００１７】
通常、該センサー４はさらに、電子音響効果発生（electronic  sound  generation）回路５と接続する。
【００１８】
本実施形態では、該感知結合部３１は、図１，２，４に示す様に、中空メッシュのような中空ではない通常の円形板体で、該振動伝導部３２は、円環状で、しかも該振動伝導部３２と感知結合部３１両者は、同心円配置を呈する。
【００１９】
該振動伝導部３２には、ハニカム構造或いは正六角形の複数の中空メッシュ３２１を設置し、しかも該各中空メッシュ３２１は、辺を共用する方式で相互に連接し、振動伝導部３２全体を満たす。
【００２０】
中空メッシュ３２１の辺の長さを変える、或いは調整することで、使用者は実際の必要に応じて、該中空メッシュ３２１の数量或いは密度を増減、調整できる。
【００２１】
一般的には、共振伝導部材３と感知結合部３１全体の大きさが不変であるとの前提下で、該中空メッシュ３２１の数量が多ければ多いほど（密であればあるほど）、より優れた伝導効果を得ることができる。
【００２２】
図２と図３は、それぞれ本発明の電子ドラムの構造の構成模式図、及び側視模式図である。
【００２３】
該電子ドラムは、パーカッション部材（percussion  member）６、複数のダンピング部材（damping  member）７、該共振伝導部材３、センサー４及び電子音響効果発生回路５を備える。
【００２４】
該パーカッション部材６は、ラバーパッド６１、及び該ラバーパッド６１一側面に密着して設置される金属板６２を備える。
【００２５】
該複数のダンピング部材７は、該金属板６２と該共振伝導部材３との間に密着して設置される。
【００２６】
該パーカッション部材６は、パーカッションを受けると、振動（vibrations）を発生する。
【００２７】
該ダンピング部材７は、具体的にはフォーム（foam）材質で、パーカッション部材６が発生した振動を該共振伝導部材３に伝送（propagate）する。
【００２８】
ここで注意を要するのは、本発明の電子ドラムと従来の電子ドラムの他の構造構成は、おおよそ相同だということである。
【００２９】
これにより、演奏者が該電子ドラムのパーカッション部材６を打撃すると、発生した振動は、順番に、該ダンピング部材７、該共振伝導部材３の振動伝導部３２を経て、該共振伝導部材３に結合する感知結合部３１のセンサー４に伝送される。
【００３０】
これにより、該センサー４は、感知した振動に基づき、対応する電気信号を発生し、該電気信号を該電子音響効果発生回路５に伝送し、スピーカーなどの音響効果アウトプット装置を駆動し、対応するドラム音を発する。
【００３１】
図１に示すように、本発明の共振伝導部材３の振動伝導部３２には、ハニカム構造或いは正六角形である複数の中空メッシュ３２１を設置し、しかも該各中空メッシュ３２１は、辺を共用する方式で相互に連接し、振動伝導部３２全体を満たす。
【００３２】
図３及び図４に示すように、演奏者が該電子ドラムのパーカッション部材６上のある位置でパーカッションを行い、ダンピング部材７の伝送を通して、該共振伝導部材３の相対位置において振源８を生じると、該振源８にある、或いは該振源８に近い中空メッシュ３２１にとっては、それが感知した振動は、「Ｙ字状」及び／或いは「逆Ｙ字状」のルートで、他の隣り合い、しかも該感知結合部３１にもっと近い中空メッシュ３２１の方向へと、該感知結合部３１に結合するセンサー４に伝導するまで、伝導する。
【００３３】
こうして、本発明の共振伝導部材３の振動伝導部３２は、より多くの伝導ルートを備えるようになる。
【００３４】
同時に、前述の動作過程において、異なるルートからの振動波は、中空メッシュ３２１の頂点において集合（convergence）或いは重ね合わせ（superposition）の現象を形成する。
【００３５】
しかも、正六角形の中空メッシュ３２１の辺の長さはすべて等しいため、異なるルートの振動波は、相位が同じであるため、共振（resonance）を形成することができる。
【００３６】
こうして、エネルギー伝送過程における減衰の問題を大幅に低減でき、感知の敏感度と正確性をさらに高められ、本発明はより大きなサイズの電子打楽器に適用でき、製品の実用性を劇的に高めることができる。
【００３７】
この他、注意を要する点は、該中空メッシュ３２１をハニカム構造或いは正六角形に設計するのであり、同様に多くの伝導ルートを備える五辺形、七辺形、八辺形などの他の多辺形ではない点である。
【００３８】
本発明は、幾何学原理に基づき、各中空メッシュ３２１を、空隙或いは重なりが発生しない方式で相互に連接し、振動伝導部３２全体を満たすことで、感知上の死角或いは盲点の発生を回避し、本発明はより高い信頼性を達成できる。
【００３９】
上記の本発明名称と内容は、本発明技術内容の説明に用いたのみで、本発明を限定するものではない。本発明の精神に基づく等価応用或いはいは部品（構造）の転換、置換、数量の増減はすべて、本発明の保護範囲に含むものとする。
【産業上の利用可能性】
【００４０】
本発明は特許の要件である新規性を備え、従来の同類製品に比べ十分な進歩を有し、実用性が高く、社会のニーズに合致しており、産業上の利用価値は非常に大きい。
【符号の説明】
【００４１】
３  共振伝導部材
３１  感知結合部
３２  振動伝導部
３２１  中空メッシュ
４  センサー
５  電子音響効果発生回路
６  パーカッション部材
６１  ラバーパッド
６２  金属板
７  ダンピング部材
８  振源
【図１】
0006326085.tif 000002
【図２】
0006326085.tif 000003
【図３】
0006326085.tif 000004
【図４】
0006326085.tif 000005